(57)【特許請求の範囲】
【請求項１】
ホスト装置に配置されたケージに対して挿入して使用するプラガブル光通信モジュールであって、
導電性のケースを備え、
前記ケースは、分割された複数の分割ケースから構成され、
前記複数の分割ケースは、前記ケージへの挿入方向に対して交差する方向に相対的に可動であり、相対的に離れる方向に弾性力が付与されており、
前記弾性力によって、少なくとも１つの前記分割ケースが前記ケージの内側に接触し、
前記弾性力を付与するための弾性体と、
前記ケースに内蔵される基板と、
をさらに有し、
前記弾性体は、前記基板に取り付けられていることを特徴とするプラガブル光通信モジュール。
【請求項２】
ホスト装置に配置されたケージに対して挿入して使用するプラガブル光通信モジュールであって、
導電性のケースを備え、
前記ケースは、分割された複数の分割ケースから構成され、
前記複数の分割ケースは、前記ケージへの挿入方向に対して交差する方向に相対的に可動であり、相対的に離れる方向に弾性力が付与されており、
前記弾性力によって、少なくとも１つの前記分割ケースが前記ケージの内側に接触し、
少なくとも１つの前記分割ケースは、対向して配置される他の前記分割ケースとの対向面に電磁波吸収体を有することを特徴とするプラガブル光通信モジュール。
【請求項３】
請求項１又は２に記載されたプラガブル光通信モジュールにおいて、
前記ケースは、前記ケージへの挿入方向の先端から後端に向けて次第に厚み又は幅が大きくなる部分を有するように構成され、
前記厚み又は前記幅を定義する一方の面は、前記ケージの内側に接触する前記少なくとも１つの前記分割ケースの外表面であることを特徴とするプラガブル光通信モジュール。
【請求項４】
請求項２に記載されたプラガブル光通信モジュールにおいて、
少なくとも１つの前記分割ケースは、前記弾性力を付与するための弾性材料から構成されていることを特徴とするプラガブル光通信モジュール。
【請求項５】
請求項２に記載されたプラガブル光通信モジュールにおいて、
前記弾性力を付与するための弾性体をさらに有することを特徴とするプラガブル光通信モジュール。
【請求項６】
請求項５に記載されたプラガブル光通信モジュールにおいて、
前記ケースに内蔵される基板をさらに有し、
前記弾性体は、前記基板に取り付けられていることを特徴とするプラガブル光通信モジュール。
【請求項７】
請求項１から６のいずれか１項に記載されたプラガブル光通信モジュールにおいて、
前記複数の分割ケースは、トップケースとボトムケースであり、上下方向に可動であることを特徴とするプラガブル光通信モジュール。
【発明の詳細な説明】
【技術分野】
【０００１】
本発明は、プラガブル光通信モジュールに関する。
【背景技術】
【０００２】
プラガブル光通信モジュールは、ホスト装置の内部に設けられた金属製のケージに対して着脱可能な形態である。このプラガブル光通信モジュールはホスト装置に配置された電気コネクタに接続されて光通信を行なう。プラガブル光通信モジュールをホスト装置内で保持するケージは、ホスト装置の外部への電磁障害（ＥＭＩ：  Ｅｌｅｃｔｒｏｍａｇｎｅｔｉｃ  Ｉｎｔｅｒｆｅｒｅｎｃｅ）を抑制するため、ホスト装置のグラウンドに接地されている。
【０００３】
例えば、特許文献１では、複数の光通信モジュールが搭載可能なケージを持つホスト装置に装着されて使用されるプラガブル光通信モジュールに導電性の弾性フィンガを両側面に備え、複数のプラガブル光通信モジュールを両側面が互いに隣接するように配置した場合に、一方の側面の弾性フィンガが隣接する他方の側面に接触し、且つ、両側面の弾性フィンガ同士は互いに干渉しないように設けることでホスト装置前方における隙間を狭くしてＥＭＩシールド機能を高める形が開示されている。
【先行技術文献】
【特許文献】
【０００４】
【特許文献１】特開２００９−１５８８８８号公報
【発明の概要】
【発明が解決しようとする課題】
【０００５】
プラガブル光通信モジュールは、ホスト装置の基板に設けられているケージに挿入して使用される。プラガブル光通信モジュールは、ケージとの間に隙間を持った状態で、ホスト装置に配置された電気コネクタに接続する。プラガブル光通信モジュールとホスト装置との電気的なインターフェースは電気コネクタを経由して行なう。プラガブル光通信モジュールと電気コネクタの間では、電磁障害の源となる高周波の電気信号の授受も行なう。
【０００６】
近年は信号の伝送量の増大に加えて伝送速度が高速化していて、この電気信号の動作周波数は高くなっている。動作周波数が低い場合は、プラガブル光通信モジュールとケージとの隙間が多少大きくても電磁障害を抑制することが可能であった。しかし、動作周波数が高くなると、プラガブル光通信モジュールとケージとの隙間が小さくても電磁波がこの隙間を通ってホスト装置の外部へ放出されるようになる。
【０００７】
特許文献１は、フィンガを備えたプラガブル光通信モジュールにのみ採用可能で、複数の光通信モジュールが搭載可能な装置に対して有効な手段である。
【０００８】
本発明は、フィンガの有無に関係なく、プラガブル光通信モジュールとホスト装置のケージとの隙間を小さくして、上述した電磁障害（ＥＭＩ）に対するシールド機能を高めることを目的とする。
【課題を解決するための手段】
【０００９】
（１）本発明に係るプラガブル光通信モジュールは、ホスト装置に配置されたケージに対して挿入して使用するプラガブル光通信モジュールであって、導電性のケースを備え、前記ケースは、分割された複数の分割ケースから構成され、前記複数の分割ケースは、前記ケージへの挿入方向に対して交差する方向に相対的に可動であり、相対的に離れる方向に弾性力が付与されており、前記弾性力によって、少なくとも１つの前記分割ケースが前記ケージの内側に接触することを特徴とする。本発明によれば、弾性力によって分割ケースがケージの内側に接触するので、プラガブル光通信モジュールとホスト装置のケージとの隙間を小さくして、電磁障害（ＥＭＩ）に対するシールド機能を高めることができる。
【００１０】
（２）（１）に記載されたプラガブル光通信モジュールにおいて、前記ケースは、前記ケージへの挿入方向の先端から後端に向けて次第に厚み又は幅が大きくなる部分を有するように構成され、前記厚み又は前記幅を定義する一方の面は、前記ケージの内側に接触する前記少なくとも１つの前記分割ケースの外表面であることを特徴としてもよい。
【００１１】
（３）（２）に記載されたプラガブル光通信モジュールにおいて、前記ケージの内側に接触する前記少なくとも１つの前記分割ケースの前記外表面は、傾斜面であり、前記ケースは、前記ケージへの挿入方向に平行であって前記外表面に交差する面で切断した断面において、くさびの一部に相当する形状を有することを特徴としてもよい。
【００１２】
（４）（２）に記載されたプラガブル光通信モジュールにおいて、前記ケージの内側に接触する前記少なくとも１つの前記分割ケースの前記外表面は、湾曲した凸曲面であり、前記外表面は、前記ケージへの挿入方向に平行な面で切断した断面において、アーチ形状を描くことを特徴としてもよい。
【００１３】
（５）（１）から（４）のいずれか１項に記載されたプラガブル光通信モジュールにおいて、少なくとも１つの前記分割ケースは、前記弾性力を付与するための弾性材料から構成されていることを特徴としてもよい。
【００１４】
（６）（１）から（４）のいずれか１項に記載されたプラガブル光通信モジュールにおいて、前記弾性力を付与するための弾性体をさらに有することを特徴としてもよい。
【００１５】
（７）（６）に記載されたプラガブル光通信モジュールにおいて、前記ケースに内蔵される基板をさらに有し、前記弾性体は、前記基板に取り付けられていることを特徴としてもよい。
【００１６】
（８）（１）から（７）のいずれか１項に記載されたプラガブル光通信モジュールにおいて、少なくとも１つの前記分割ケースは、対向して配置される他の前記分割ケースとの対向面に電磁波吸収体を有することを特徴としてもよい。
【００１７】
（９）（１）から（８）のいずれか１項に記載されたプラガブル光通信モジュールにおいて、前記複数の分割ケースは、トップケースとボトムケースであり、上下方向に可動であることを特徴としてもよい。
【図面の簡単な説明】
【００１８】
【図１】本発明の実施形態に係るプラガブル光通信モジュールを示す図である。
【図２】本発明の実施形態に係るプラガブル光通信モジュールを使用するホスト装置の一部を示す図である。
【図３】本発明の実施形態に係るプラガブル光通信モジュールが挿入されたホスト装置を示す図である。
【図４】本発明の実施形態に係るプラガブル光通信モジュールの断面図である。
【図５】ボトムケースを示す図である。
【図６】本発明の実施形態に係るプラガブル光通信モジュールの変形例１を示す図である。
【図７】本発明の実施形態に係るプラガブル光通信モジュールの変形例２を示す図である。
【図８】ケージに挿入されたときのプラガブル光通信モジュールを示す図である。
【発明を実施するための形態】
【００１９】
以下、本発明の実施の形態について、図面を参照して説明する。
【００２０】
本実施形態の説明ではプラガブル光通信モジュールのフォームファクターの一つであるＸＦＰ（１０  Ｇｉｇａｂｉｔ  Ｓｍａｌｌ  Ｆｏｒｍ  Ｆａｃｔｏｒ  Ｐｌｕｇｇａｂｌｅ）を例に挙げて説明するが、プラガブル光通信モジュールにはＳＦＰ＋（Ｓｍａｌｌ  Ｆｏｒｍ−Ｆａｃｔｏｒ  Ｐｌｕｇｇａｂｌｅ  Ｐｌｕｓ）、ＣＦＰ２（１００Ｇ  ｆｏｒｍ−ｆａｃｔｏｒ  ｐｌｕｇｇａｂｌｅ  ２）、ＱＳＦＰ（Ｑｕａｄ  Ｓｍａｌｌ  Ｆｏｒｍ−ｆａｃｔｏｒ  Ｐｌｕｇｇａｂｌｅ）等様々なフォームファクターがあり、あらゆるプラガブル光通信モジュールにも本発明を適用することができる。
【００２１】
図１は、本発明の実施形態に係るプラガブル光通信モジュールを示す図である。図２は、本発明の実施形態に係るプラガブル光通信モジュールを使用するホスト装置の一部を示す図である。
【００２２】
プラガブル光通信モジュール１０は、ホスト装置に配置されたケージ１２に対して挿入して使用するものである。ケージ１２は、ホスト装置の基板１４に取り付けられている。ホスト装置の前面にフロントパネル１６が配置されている。フロントパネル１６は、プラガブル光通信モジュール１０の差込口１８を有する。ケージ１２は、フロントパネル１６の差込口１８と連通するように、プラガブル光通信モジュール１０の収容空間を有する。
【００２３】
図３は、本発明の実施形態に係るプラガブル光通信モジュール１０が挿入されたホスト装置を示す図である。
【００２４】
プラガブル光通信モジュール１０は、ケージ１２に挿入されると、基板１４に設けられた電気コネクタ２０と電気的に接続する。フロントパネル１６は導電材料から構成され、ホスト装置の図示しないアースと同電位となっており、ホスト装置と基板１４からの電磁波をシールドするので、電磁障害（ＥＭＩ）に対して効果がある。しかしながら、フロントパネル１６の差込口１８とプラガブル光通信モジュール１０の間に隙間が形成されると、高速な電気信号による電磁波が漏れるため、プラガブル光通信モジュール１０とケージ１２との隙間を小さくすることは、電磁障害（ＥＭＩ）のシールドにおいて非常に有効となる。
【００２５】
図４は、本発明の実施形態に係るプラガブル光通信モジュール１０の断面図である。プラガブル光通信モジュール１０は、導電性のケース２２を備えている。ケース２２は、分割された複数の分割ケース２４から構成されている。複数の分割ケース２４は、トップケース２６とボトムケース２８であり、上下方向に可動である。少なくとも１つの分割ケース２４（ボトムケース２８）は、弾性力を付与するための弾性材料から構成されている。トップケース２６とボトムケース２８はネジ３０によって保持されている。
【００２６】
ケース２２は、ケージ１２への挿入方向の先端から後端に向けて次第に厚み又は幅が大きくなる部分を有するように構成されている。厚み又は幅を定義する一方の面は、ケージ１２の内側に接触する少なくとも１つの分割ケース２４の外表面である。
【００２７】
ケージ１２の内側に接触する少なくとも１つの分割ケース２４の外表面は、傾斜面である。ケース２２は、ケージ１２への挿入方向に平行であって外表面に交差する面で切断した断面において、くさびの一部に相当する形状を有する。
【００２８】
複数の分割ケース２４は、ケージ１２への挿入方向に対して交差する方向に相対的に可動である。複数の分割ケース２４は、相対的に離れる方向に弾性力が付与されている。弾性力によって、少なくとも１つの分割ケース２４がケージ１２の内側に接触する。
【００２９】
図５は、ボトムケース２８を示す図である。少なくとも１つの分割ケース２４（ボトムケース２８）は、対向して配置される他の分割ケース２４（トップケース２６）との対向面に電磁波吸収体２５を有する。これにより、プラガブル光通信モジュール１０の内部からの電磁波もシールドすることができ、システム全体の電磁障害対策もより効果的となる。
【００３０】
プラガブル光通信モジュール１０の幅（高さ）は、ケージ１２に挿入されるとその高さに倣って小さくなる。トップケース２６とボトムケース２８は、相対的に離れる方向に弾性力が付与されているので、プラガブル光通信モジュール１０とケージ１２との隙間は小さくなる。
【００３１】
本実施形態によれば、弾性力によって分割ケース２４がケージ１２の内側に接触するので、プラガブル光通信モジュール１０とホスト装置のケージ１２との隙間を小さくして、電磁障害（ＥＭＩ）に対するシールド機能を高めることができる。（変形例１）
【００３２】
図６は、本発明の実施形態に係るプラガブル光通信モジュールの変形例１を示す図である。この例では、ケージ１２の内側に接触する少なくとも１つの分割ケース１２４の外表面は、湾曲した凸曲面である。外表面は、ケージ１２への挿入方向に平行な面で切断した断面において、アーチ形状を描く。（変形例２）
【００３３】
図７は、本発明の実施形態に係るプラガブル光通信モジュールの変形例２を示す図である。この例では、弾性力は弾性体２３２によって付与される。ケース２２２には基板２１４が内蔵されている。弾性体２３２は、基板２１４に取り付けられている。プラガブル光通信モジュール２１０をケージ１２に挿入する前では、弾性体２３２には力が加えられていないので、弾性力が生じていない。
【００３４】
図８は、ケージ１２に挿入されたときのプラガブル光通信モジュール２１０を示す図である。プラガブル光通信モジュール２１０をケージ１２に挿入すると、ボトムケース２２８はケージ１２から上方向の力を受ける。これにより、弾性体２３２が圧縮され、弾性力が生じる。これにより、プラガブル光通信モジュール２１０とケージ１２との隙間が小さい状態を保ちつつ、プラガブル光通信モジュール２１０はケージ２１２に収まる。
【００３５】
本発明は、上述した実施の形態に限定されるものではなく種々の変形が可能である。例えば、実施の形態で説明した構成は、実質的に同一の構成、同一の作用効果を奏する構成又は同一の目的を達成することができる構成で置き換えることができる。
【符号の説明】
【００３６】
１０  ラガブル光通信モジュール、１２  ケージ、１４  基板、１６  フロントパネル、１８  差込口、２０  電気コネクタ、２２  ケース、２４  分割ケース、２５  電磁波吸収体、２６  トップケース、２８  ボトムケース、３０  ネジ、１２４  分割ケース、２１０  ラガブル光通信モジュール、２１４  基板、２２２  ケース、２２８  ボトムケース、２３２  弾性体。
【図１】
0005863471.tif 000002
【図２】
0005863471.tif 000003
【図３】
0005863471.tif 000004
【図４】
0005863471.tif 000005
【図５】
0005863471.tif 000006
【図６】
0005863471.tif 000007
【図７】
0005863471.tif 000008
【図８】
0005863471.tif 000009